(57)【特許請求の範囲】
【請求項１】
シャッターの開放動作、閉鎖動作および停止動作を行うための操作信号が有電圧信号とされ、これらの有電圧信号が操作回路と手元スイッチとを接続する複数の電線に導通され、これらの電線は、前記シャッターを開放させる開放操作線と、当該シャッターを閉鎖させる閉鎖操作線と、シャッターを停止させる停止操作線とを含んで構成され、前記手元スイッチとは別に、前記シャッターの開放動作、閉鎖動作および停止動作を行うためのリモコン発信器およびリモコン受信器を有し、前記リモコン発信器から前記リモコン受信器へは、電線を介さずに空中を伝播する空中伝播信号が送出される電動シャッターのワイヤレスリモコンであって、
前記リモコン受信器は、前記停止操作線から電力が供給される電源回路を有していることを特徴とする電動シャッターのワイヤレスリモコン。
【請求項２】
請求項１に記載の電動シャッターのワイヤレスリモコンにおいて、前記電源回路には、前記リモコン受信器の電力を蓄えるための蓄電手段が設けられていることを特徴とする電動シャッターのワイヤレスリモコン。
【請求項３】
請求項２に記載の電動シャッターのワイヤレスリモコンにおいて、前記蓄電手段の一次側には、所定の電流値で前記蓄電手段の電力を充電する定電流レギュレタが接続されていることを特徴とする電動シャッターのワイヤレスリモコン。
【請求項４】
請求項２に記載の電動シャッターのワイヤレスリモコンにおいて、前記電源回路には、前記開放操作線および前記閉鎖操作線の電位低下を検出し、当該電位低下を検出すると、前記電源回路を前記停止操作線から切り離すミュート回路が設けられていることを特徴とする電動シャッターのワイヤレスリモコン。
【請求項５】
請求項４に記載の電動シャッターのワイヤレスリモコンにおいて、前記ミュート回路には、前記開放操作線および前記閉鎖操作線の電位低下により作動を開始し、所定時間が経過するまでの間、前記電源回路を前記停止操作線から切り離すためのタイマー回路が設けられていることを特徴とする電動シャッターのワイヤレスリモコン。
【発明の詳細な説明】
【０００１】
【発明の属する技術分野】
本発明は、電動シャッターの開放動作、閉鎖動作および停止動作を電線を介さずに空中を伝播する空中伝播信号で行う電動シャッターのワイヤレスリモコンに関する。
【０００２】
【背景技術】
従来より、建物には、壁に設けられる窓等の開口を覆う電動シャッターが設けられている（特開平８−１９９９４４号公報等参照）。この電動シャッターは、シャッターを開閉駆動する電動機を備えている。この電動機には、当該電動機を正回転方向および逆回転方向の両方向に動作させる操作回路が接続されている。この操作回路には、シャッターの近傍でかつ建物の内壁面に設けられる手元スイッチが接続されている。
【０００３】
【発明が解決しようとする課題】
前述の電動シャッターでは、手元スイッチの他に、電線を介さずに空中を伝播する空中伝播信号が送出されるワイヤレスリモコンが利用されることがある。
このような電動シャッターでは、シャッターをワイヤレスリモコンで操作しようとすると、リモコン受信器の他に、リモコン受信器に電力を供給する電源が必要となる。そのうえ、リモコン受信器の電源は、低電圧の直流電力を供給するものが一般的となっているため、商用交流電力を低電圧の直流電力に変換する変換器、および、この変換器と商用電源とを接続する配線が必要となるため、コストが高くなるという問題がある。
【０００４】
本発明の目的は、コスト低減が図れるようになる電動シャッターのワイヤレスリモコンを提供することにある。
【０００５】
【課題を解決するための手段】
本発明の電動シャッターのワイヤレスリモコンは、図面をも参照して説明すると、シャッター10の開放動作、閉鎖動作および停止動作を行うための操作信号が有電圧信号とされ、これらの有電圧信号が操作回路50と手元スイッチ20とを接続する複数の電線70に導通され、これらの電線70は、前記シャッター10を開放させる開放操作線71と、当該シャッター10を閉鎖させる閉鎖操作線73と、シャッター10を停止させる停止操作線72とを含んで構成され、前記手元スイッチ20とは別に、前記シャッター10の開放動作、閉鎖動作および停止動作を行うためのリモコン発信器40およびリモコン受信器31を有し、前記リモコン発信器40から前記リモコン受信器31へは、電線70を介さずに空中を伝播する空中伝播信号が送出される電動シャッターのワイヤレスリモコン30であって、前記リモコン受信器31は、前記停止操作線72から電力が供給される電源回路60を有していることを特徴とする。
【０００６】
このような本発明では、リモコン受信器31には、シャッター10の操作を行う操作回路50の停止操作線72から電力供給がなされるようにしたので、電力供給時に停止操作線72の電圧が低下しても、シャッター10の動作時以外に電力供給を行えば、シャッター10が途中で停止する等の動作不良が発生しなくなり、シャッター10の開閉動作が確実に行えるようになる。
また、リモコン受信器31の電源は、低電圧の直流電力を供給するものが一般的であり、シャッター10の操作回路50の電源と同一とすることができる。これにより、リモコン受信器31に電力を供給するために、別途、電源を設けることが不要となるとともに、商用交流電力を低電圧の直流電力に変換する変換器、および、この変換器と商用電源とを接続する配線が不要となり、コスト低減が図れるようになる。
一方、開放操作線71および閉鎖操作線73からリモコン受信器31の電力が供給されるようにすると、電力供給時に開放操作線71および閉鎖操作線73の電圧が低下し、シャッター10の開く動作や閉じる動作が不意に起こる等の誤動作が発生するおそれがあるが、前述のように、停止操作線72から当該電力が供給されるようにしたので、操作線の電圧低下による誤動作のおそれがなく、シャッター10の安全性が確保される。
【０００７】
以上において、前記電源回路60には、前記リモコン受信器31の電力を蓄えるための蓄電手段61が設けられていることが望ましい。
このようにすれば、停止操作線72から電力が供給されるとともに、リモコン受信器31の動作に比較的大きな電力が必要とされても、電力が蓄電手段61に蓄積可能なので、蓄電手段61に少しずつ電力を蓄えるようにし、リモコン受信器31を蓄電手段61に蓄えた電力で駆動すれば、停止操作線72の電位低下が防止され、操作回路50に影響が及ばない。
【０００８】
また、前記蓄電手段61の一次側には、所定の電流値で前記蓄電手段61の電力を充電する定電流レギュレタ62が接続されていることが望ましい。
このようにすれば、蓄電手段61の充電が定電流レギュレタ62を介して行われるので、蓄電手段61への充電電流がシャッター10を停止動作させない程度にちいさくなり、シャッター10の操作回路50への影響がなくなり、シャッター10の開放動作および閉鎖動作が確実に行われるようになる。
【０００９】
さらに、前記電源回路60には、前記開放操作線71および前記閉鎖操作線73の電位低下を検出し、当該電位低下を検出すると、前記電源回路60を前記停止操作線72から切り離すミュート回路65が設けられていることが望ましい。
このようにすれば、シャッター10の開放操作または閉鎖操作により、開放操作線71または閉鎖操作線73の電圧が低下すると、この電圧低下をミュート回路65が検出し、停止操作線72と電源回路60との接続を遮断するので、シャッター10の開放動作また閉鎖動作の途中で停止操作が行われることがなく、当該開放動作または閉鎖動作が確実に行えるようになる。
【００１０】
また、前記ミュート回路65には、前記開放操作線71および前記閉鎖操作線73の電位低下により作動を開始し、所定時間が経過するまでの間、前記電源回路60を前記停止操作線72から切り離すためのタイマー回路が設けられていることが望ましい。
このように、タイマー回路の作動時間をシャッター10の開放動作およびおよび閉鎖動作が完了するのに要する時間よりも長く設定すれば、シャッター10が開放動作および閉鎖動作完了するまでリモコン受信器31の電源回路60がタイマー回路により強制的に停止操作線72から遮断されるので、シャッター10の停止操作が行われず、シャッター10の開放動作または閉鎖動作が確実に行えるようになる。
【００１１】
【発明の実施の形態】
以下、本発明の実施の一形態を図面に基づいて説明する。
図１には、本発明の一実施形態に係る建物１が示されている。この建物１は、基礎２の上に形成された建物本体３と、この建物本体３の上に形成された屋根４とを備えたものである。
このうち、建物本体３の一階部分の外壁５には、掃き出し窓６と、この掃き出し窓６を覆うシャッター10とが設けられている。このシャッター10は、当該シャッター10を上下方向に駆動する電動機を備えた電動式のものである。
【００１２】
建物１の掃き出し窓６が設けられた内壁７には、図２に示されるように、手元スイッチ20が設けられている。この手元スイッチ20は、シャッター10の開放動作、閉鎖動作および停止動作を行うためのものである。
手元スイッチ20には、箱状に形成されたアウトレットボックス21と、基板22と、この基板22の表面に設けられたスイッチ本体23とを有している。このスイッチ本体23は、図３に示されるように、開放操作を行うための開ボタン24と、停止操作を行うための停止ボタン25と、閉鎖操作を行うための閉ボタン26と、後述するワイヤレスリモコン30のリモコン受信器31の受光部31A とを有している。
これらのボタン24〜26は、開ボタン24、停止ボタン25、閉ボタン26の順にスイッチ本体23の上端側から下端側へ向かって上下方向に配置されている。各ボタン24〜26の近傍には、それぞれ作動時および非作動時を表示する表示部24A〜26Aが設けられている。受光部31A は、円形状に形成され、閉ボタン26の下方に配置されている。
【００１３】
図２に戻って、シャッター10は、手元スイッチ20の他に、各動作を行うためのワイヤレスリモコン30を備えている。このワイヤレスリモコン30は、電線を介さずに空中を伝播する空中伝播信号である赤外線信号を送出するリモコン発信器40と、このリモコン発信器40からの赤外線信号を受信するリモコン受信器31（図５参照）とを有している。リモコン発信器40は、図４に示されるように、箱状に形成されたリモコン本体41と、このリモコン本体41の表面に設けられたボタン操作部42とを有している。
【００１４】
ボタン操作部42は、シャッター10、エアコンおよび照明を選択する選択ボタン43A，43B，44，45A，45Bと、これらのシャッター10、エアコンおよび照明の電源となる電源ボタン46と、シャッター10の開放動作、閉鎖動作および停止動作を行うための開ボタン47A 、閉ボタン47B および停止ボタン47C と、エアコンの冷房、除湿および暖房等を設定する設定ボタン48と、エアコンのタイマーの設定時間を選択するタイマー選択ボタン49と、このタイマー設定時間を複数のＬＥＤ（発光ダイオード）49B で表示する表示部49A とを有している。
電源ボタン46は、シャッター10、エアコンおよび照明の各電源となっている。
ここで、リモコン発信器40は、選択ボタン43A，43B，44，45A，45Bを選択し、電源ボタン46を入切することにより、シャッター10、エアコンおよび照明がそれぞれ作動するようになっており、シャッター10、エアコンおよび照明の三つのリモコン発信器を兼用している。
なお、リモコン発信器40は、選択ボタン43A，43B，44，45A，45Bを選択することにより、送出される赤外線信号の種類が切替わるようになっている。
すなわち、選択ボタン43A を選択すると、シャッターI を操作するための赤外線信号が送出されるようになり、選択ボタン43B を選択すると、シャッターIIを操作するための赤外線信号が送出されるようになる。そして、選択ボタン44を選択すると、エアコンを操作するための赤外線信号が送出されるようになる。
さらに、選択ボタン45A を選択すると、照明I を操作するための赤外線信号が送出されるようになり、選択ボタン45B を選択すると、照明IIを操作するための赤外線信号が送出されるようになる。
また、シャッター10の開放動作、停止動作および閉鎖動作は、選択ボタン43Aが選択された状態で、電源ボタン46がON状態の場合、開ボタン47A 、閉ボタン47B および停止ボタン47C を押すことにより、行われるようになっている。
【００１５】
手元スイッチ20には、図５に示されるように、シャッター10の各操作を行うための操作信号、すなわち、開放動作、閉鎖動作および停止動作を行う操作回路50へ送出させる複数の電線70が設けられている。これらの電線70は、シャッター10を開放させる開放操作線71と、当該シャッター10を停止させる停止操作線72と、シャッター10を閉鎖させる閉鎖操作線73と、これらの操作線71〜73の共通部分となる共通操作線74とを含んで構成されている。
【００１６】
リモコン受信器31には、停止操作線72から電力が供給される電源回路60と、リモコン発信器40からの操作信号を受けて操作回路50を駆動する駆動部32とが設けられている。電源回路60は、その電源が低電圧の直流電力を供給するものとなっている。
電源回路60には、リモコン受信器31の電力を蓄えるための蓄電手段61が設けられている。この蓄電手段61の一次側には、所定の電流値で当該蓄電手段61の電力を充電する定電流レギュレタ62が接続されている。この定電流レギュレタ62の一次側には、所定の電圧値で当該定電流レギュレタ62に流れる電流を制御するスイッチングレギュレタ63が接続されている。このスイッチングレギュレタ63の一次側には、トランジスタ64が接続されている。
ここで、リモコン受信器31の停止操作線72からの電力供給は、シャッター10の開放および閉鎖動作以外に行われるようになっている。
また、定電流レギュレタ62およびスイッチングレギュレタ63は、リモコン受信器31の動作に比較的大きな電力が必要とされても、蓄電手段61に少しずつ電力を蓄えるようにするためのものである。
【００１７】
トランジスタ64のベース側には、開放操作線71および閉鎖操作線73の電位低下を検出し、当該電位低下を検出すると、電源回路60を停止操作線72から切り離すミュート回路65が設けられている。このミュート回路65には、開放操作線71および閉鎖操作線73の電位低下により作動を開始し、所定時間が経過するまでの間、電源回路60を停止操作線72から切り離すためのタイマー回路（図示省略）が設けられている。なお、所定時間は、シャッター10の開放動作および閉鎖動作が完了する時間よりも長く設定されている。
ミュート回路65と開放操作線71および閉鎖操作線73との間には、それぞれダイオード66A，66Bが設けられている。これらのダイオード66A，66Bは、開放操作線71および閉鎖操作線73からミュート回路65へ流れる電流を遮断し、開放動作および閉鎖動作が動作し続けるのを防止するものである。
駆動部32は、開放、停止および閉鎖操作線71〜73に接続されている。このうち、開放操作線71との接続点の電位がV1とされ、閉鎖操作線73との接続点の電位がV2とされている。
【００１８】
操作回路50には、図６に示されるように、低電圧の直流電源51が設けられている。各操作線71〜73の操作回路50側には、フォトカプラ52〜54がそれぞれ接続されている。電源51と各フォトカプラ52〜54との間には、抵抗R1〜R3がそれぞれ設けられている。なお、操作回路50の電源は、電源回路60と同様に、低電圧の直流電力を供給するものとなっている。
各操作線71〜73の手元スイッチ20側には、押しボタンスイッチ71A〜73Aがそれぞれ設けられている。押しボタンスイッチ71A〜73Aとフォトカプラ52〜54との間には、抵抗R4〜R6がそれぞれ設けられている。
【００１９】
ここで、本実施形態の動作について説明する。
シャッター10を開放する場合、手元スイッチ20の押しボタンスイッチ71A を押してその接点を導通状態とすると、開放操作の操作信号が開放操作線71を通って操作回路50に送出される。開放操作線71の電位V1が、図７(ａ)に示されるように、所定電圧E1から0Vとなり、この瞬間からシャッター10が開き始め、所定時間T1に達する前に全開状態となる。
この際、所定電圧E1が0Vとなった瞬間にミュート回路65が電位E1の低下を検出し、タイマー回路が作動し、図７(ｃ)に示されるように、リモコン受信器31の電源回路60がON状態からOFF 状態となり、停止操作線72から強制的に遮断される。ここで、電源回路60の遮断状態は、所定時間T1の間、継続する。なお、所定時間T1は、シャッター10の開放動作が完了する時間よりも長く設定されている。
その後、所定時間T1が経過すると、電源回路60が再びON状態となり停止操作線72に導通される。
【００２０】
一方、シャッター10が閉鎖する場合、手元スイッチ20の押しボタンスイッチ73A を押してその接点を導通状態とすると、閉鎖操作の操作信号が閉鎖操作線73を通って操作回路50に送出される。閉鎖操作線73の電位V2が、図７(ｂ)に示されるように、所定電圧E2から0Vとなり、この瞬間からシャッター10が閉じ始め、所定時間T2に達する前に全閉状態となる。
この際、電位E2が0Vとなった瞬間に、シャッター10の開放動作と同様に、ミュート回路65が電位E2の低下を検出し、タイマー回路が作動して図７(ｃ)に示されるように、リモコン受信器31の電源回路60がON状態からOFF 状態となり、停止操作線72から強制的に遮断される。
ここで、電源回路60の遮断状態は、所定時間T1の間、継続する。なお、所定時間T2は、シャッター10の閉鎖動作が完了する時間よりも長く設定されている。
その後、所定時間T2が経過すると、電源回路60が再びON状態となり停止操作線72に導通される。なお、所定時間T1，T2は、同一時間に設定されている。
【００２１】
このような本実施形態によれば、次のような効果がある。
すなわち、リモコン受信器31は、シャッター10の操作を行う操作回路50の停止操作線72から電力供給がなされ、この電力供給をシャッター10の動作時以外に行うようにしたので、電力供給時に停止操作線72の電圧が低下しても、シャッター10のが途中で停止する等の動作不良が発生しなくなり、シャッター10の開閉動作を確実に行うことができる。
【００２２】
また、リモコン受信器31の電源およびシャッター10の操作回路50の電源を同一としたので、リモコン受信器31に電力を供給するために、別途、電源を設けることが不要となるとともに、商用交流電力を低電圧の直流電力に変換する変換器を、および、この変換器と商用電源とを接続する配線が不要となり、コストを低減できる。
【００２３】
一方、開放操作線71および閉鎖操作線73からリモコン受信器31の電力が供給されるようにすると、電力供給時に開放操作線71および閉鎖操作線73の電圧が低下し、シャッター10の開く動作や閉じる動作が不意に起こる等の誤動作が発生するおそれがあるが、前述のように、停止操作線72から当該電力が供給されるようにしたので、操作線の電圧低下による誤動作のおそれがなく、シャッター10の安全性を確保できる。
【００２４】
さらに、電源回路60に蓄電手段61を設けたので、停止操作線72から電力が供給されるとともに、リモコン受信器31に比較的大きな電力が必要とされても、必要な電力を蓄電手段61に蓄えておけるようになり、蓄電手段61に少しずつ電力が蓄えられ、リモコン受信器31を蓄電手段61に蓄えた電力で駆動でき、停止操作線72の電位低下を防止でき、操作回路50に影響が及ばない。
【００２５】
また、蓄電手段61の充電を定電流レギュレタ62を介して行っているので、蓄電手段61への充電電流がシャッター10を停止動作させない程度に小さくなり、シャッター10の操作回路50への影響がなくなり、シャッター10の開放動作および閉鎖動作を確実に行うことができる。
【００２６】
さらに、電源回路60にミュート回路65を設け、シャッター10の開放操作または閉鎖操作により、開放操作線71または閉鎖操作線73の電圧が低下すると、この電圧低下をミュート回路65が検出し、停止操作線72と電源回路60との接続を遮断するので、シャッター10の開放動作または閉鎖動作の途中で停止操作が行われることなく、当該開放動作または閉鎖動作を確実に行うことができる。
【００２７】
また、ミュート回路65にタイマー回路を設け、タイマー回路の作動時間をシャッター10の開放動作およびおよび閉鎖動作が完了するのに要する時間よりも長く設定したので、シャッター10が開放動作および閉鎖動作完了するまでリモコン受信器31の電源回路60がタイマー回路により強制的に停止操作線72から遮断され、シャッター10の停止操作が行われず、シャッター10の開放動作または閉鎖動作を確実に行うことができる。
【００２８】
なお、本発明は前記実施形態に限定されるものではなく、本発明の目的を達成できる他の構成等を含み、以下に示すような変形なども本発明に含まれる。
すなわち、リモコン発信器としては、開ボタン47A 、閉ボタン47B および停止ボタン47C の三つのボタンでシャッター10を開閉および停止させるものに限らず、図８に示されるように、UPボタン82およびDOWNボタン83の二つのボタンでシャッター10を開閉および停止させるものであってもよい。
この際、リモコン発信器80のUPボタン82を押し続けることにより、シャッター10の開放動作が継続し、UPボタン82を離すと、シャッター10が停止するようになる。一方、DOWNボタン83を押し続けることにより、シャッター10の閉鎖動作が継続し、DOWNボタン83を離すと、シャッター10が停止するようになっている。
また、エアコンのタイマー設定時間の表示部としては、複数のＬＥＤ49B で表示されるものに限らず、図８に示されるように、液晶等の表示画面81で表示されるものでもよい。
【００２９】
さらに、空中伝播信号としては、赤外線信号に限らず、伝播信号、超音波信号および可視光信号であってもよい。
また、所定時間T1，T2としては、同一時間に設定される場合に限らず、異なる時間にそれぞれ設定されていてもよい。
【００３０】
【発明の効果】
本発明の電動シャッターのワイヤレスリモコンによれば、次のような効果が得られる。
すなわち、請求項１に記載の電動シャッターのワイヤレスリモコンによれば、リモコン受信器には、シャッターの操作を行う操作回路の停止操作線から電力供給がなされるようにしたので、電力供給時に停止操作線の電圧が低下しても、シャッターの動作時以外に電力供給を行えば、シャッターが途中で停止する等の動作不良が発生しなくなり、シャッターの開閉動作を確実に行うことができる。
また、リモコン受信器の電源は、低電圧の直流電力を供給するものが一般的であり、シャッターの操作回路の電源と同一とすることができる。これにより、リモコン受信器に電力を供給するために、別途、電源を設けることが不要となるとともに、商用交流電力を低電圧の直流電力に変換する変換器、および、この変換器と商用電源とを接続する配線が不要となり、コストを低減できる。
一方、開放操作線および閉鎖操作線からリモコン受信器の電力が供給されるようにすると、電力供給時に開放操作線および閉鎖操作線の電圧が低下し、シャッターの開く動作や閉じる動作が不意に起こる等の誤動作が発生するおそれがあるが、前述のように、停止操作線から当該電力が供給されるようにしたので、操作線の電圧低下による誤動作のおそれがなく、シャッターの安全性を確保できる。
【００３１】
また、請求項２に記載の電動シャッターのワイヤレスリモコンによれば、停止操作線から電力が供給されるとともに、リモコン受信器の動作に比較的大きな電力が必要とされても、電力が蓄電手段に蓄積可能なので、蓄電手段に少しずつ電力を蓄えるようにし、リモコン受信器を蓄電手段に蓄えた電力で駆動すれば、停止操作線の電位低下が防止され、操作回路に影響が及ばない。
【００３２】
さらに、請求項３に記載の電動シャッターのワイヤレスリモコンによれば、蓄電手段の充電が定電流レギュレタを介して行われるので、蓄電手段への充電電流がシャッターを停止動作させない程度に小さくなり、シャッターの操作回路への影響がなくなり、シャッターの開放動作および閉鎖動作を確実に行うことができる。
【００３３】
また、請求項４に記載の電動シャッターのワイヤレスリモコンによれば、シャッターの開放操作または閉鎖操作により、開放操作線または閉鎖操作線の電圧が低下すると、この電圧低下をミュート回路が検出し、停止操作線と電源回路との接続を遮断するので、シャッターの開放動作また閉鎖動作の途中で停止操作が行われることがなく、当該開放動作または閉鎖動作を確実に行うことができる。
【００３４】
さらに、請求項５に記載の電動シャッターのワイヤレスリモコンによれば、タイマー回路の作動時間をシャッターが開放動作およびおよび閉鎖動作が完了するのに要する時間よりも長く設定すれば、シャッターが開放動作および閉鎖動作完了するまでリモコン受信器の電源回路がタイマー回路により強制的に停止操作線から遮断されるので、シャッターの停止操作が行われず、シャッターの開放動作または閉鎖動作を確実に行うことができる。
【図面の簡単な説明】
【図１】本発明の一実施形態に係る建物を示す正面図である。
【図２】前記実施形態に係る建物の内部を示す斜視図である。
【図３】前記実施形態に係る手元スイッチの表示部を示す正面図である。
【図４】前記実施形態に係るリモコン発信器を示す正面図である。
【図５】前記実施形態に係る電源回路を示す回路図である。
【図６】前記実施形態に係る手元スイッチおよび操作回路を示す回路図である。
【図７】前記実施形態の動作を説明する図である。
【図８】本発明の変形例を示す正面図である。
【符号の説明】
10  シャッター
20  手元スイッチ
30  ワイヤレスリモコン
31  リモコン受信器
40  リモコン発信器
50  操作回路
60  電源回路
61  蓄電手段
62  定電流レギュレタ
65  ミュート回路
70  電線
71  開放操作線
72  停止操作線
73  閉鎖操作線
【図１】
0004266467.tif 000002
【図２】
0004266467.tif 000003
【図３】
0004266467.tif 000004
【図４】
0004266467.tif 000005
【図５】
0004266467.tif 000006
【図６】
0004266467.tif 000007
【図７】
0004266467.tif 000008
【図８】
0004266467.tif 000009